(57)【要約】視角によって異なる液晶の複屈折を補償するための光学的構造を少なくとも１つ備える２つの偏光子（２３，２８）の間に配置された、液晶セル要素（２０）を含む表示装置である。光学的補償構造は、液晶に固有の複屈折による好ましくない影響を少なくとも部分的に補償するのに適した少なくとも１つの重合液晶型の傾斜した軸を有するフィルム（２５，２６）と、前記フィルムの補償能力を向上させるのに適した遅延の小さい体積ホログラムとの組み合わせてなる。
2004506936.tif 000002
【特許請求の範囲】
【請求項１】
視角によって異なる液晶の複屈折を補償するための光学的構造を少なくとも１つ備える２つの偏光子（２３，２８）の間に配置された液晶セル要素（２０）を含む表示装置であって、該光学的補償構造が、液晶に固有の複屈折による好ましくない影響を少なくとも部分的に補償するのに適した少なくとも１つの重合液晶型の傾斜した軸を有するフィルム（２５，２６）と、該フィルムの補償能力を向上させるのに適した遅延の小さい体積ホログラム（２４，２７）とを組み合わせてなることを特徴とする装置。
【請求項２】
前記傾斜した軸を有するフィルムは、ネマティックまたは重合したディスコティック液晶型であることを特徴とする請求項１に記載の装置。
【請求項３】
前記ホログラムは、傾斜した軸を有するフィルムの平面内に光学軸を有するホログラフィーフィルムであることを特徴とする請求項１または２に記載の装置。
【請求項４】
前記ホログラムは、フィルムの平面に対して傾いた光学軸を有するホログラフィーフィルムであることを特徴とする請求項１または２に記載の装置。
【請求項５】
前記体積ホログラムの遅延が−１５０ｎｍ未満、好適には−１０から−１００ｎｍであることを特徴とする請求項１ないし４のいずれか１項に記載の装置。
【請求項６】
ホログラフィーアセンブリが、層が独自の方向を有する多層格子をそれぞれが備える少なくとも２つのホログラフィーフィルムからなることを特徴とする請求項１ないし５のいずれか１項に記載の装置。
【請求項７】
視覚者の側に配設される液晶セルの第一面はホログラムに直接結合される第一の傾斜した軸を有するフィルムに結合されることと、液晶セルの第二面はホログラムに直接結合される第二の傾斜した軸を有するフィルムに結合されることとを特徴とする請求項１ないし６のいずれか１項に記載の装置。
【請求項８】
視覚者の側に配設される液晶セルの第一面は第一の傾斜した軸を有するフィルムに直接結合される第一ホログラムに結合されることと、液晶セルの第二面はホログラムに直接結合される第二の傾斜した軸を有するフィルムに結合されることとを特徴とする請求項１ないし６のいずれか１項に記載の装置。
【請求項９】
視覚者の側に配設される液晶セルの第一面は第一の傾斜した軸を有するフィルムに直接結合される第一ホログラムに結合されることと、液晶セルの第二面は第二の傾斜した軸を有するフィルムに直接結合される第二ホログラムに結合されることとを特徴とする請求項１ないし６のいずれか１項に記載の装置。
【請求項１０】
前記傾斜した軸を有するフィルムはネガティブ単軸複屈折を有するＣＴＡ型のプラスチックフィルムを引き伸ばしたものからなることと、該フィルムの遅延値はホログラフィーフィルムおよび傾斜した軸を有するフィルムに合わせて調整されていることを特徴とする請求項１ないし９のいずれか１項に記載の装置。
【請求項１１】
液晶セルはＴＮ型であることを特徴とする請求項１ないし１０のいずれか１項に記載の装置。
【請求項１２】
マイクロコンピュータスクリーンなどの表示装置に影響を及ぼす複屈折を補償するための、請求項１ないし１１のいずれか１項に記載の装置の使用法。
【発明の詳細な説明】
【０００１】
本発明は、複屈折の補償器を備えることにより、表示装置の視角を著しく増大させることを可能にした液晶表示装置に関する。
【０００２】
本装置は、伝送、反射、さらにはスクリーンへの投影に使用されて、特に電気光学表示装置、さらに詳細には液晶ディスプレイに利用される。
【０００３】
液晶スクリーンはＴＦＴ（薄膜トランジスタ）技術およびＴＮ（Ｔｗｉｓｔｅｄ　Ｎｅｍａｔｉｃ）液晶セルを使用したポータブルコンピュータの発達により非常に大きな成長を遂げた。
【０００４】
多くの液晶ディスプレイまたはスクリーンには、それらを見ることができる視角が限られているという大きな欠点がある。定位からディスプレイまたはスクリーン画面の延長平面の方へ移動するにつれ、黒白のコントラストが大きく低下し、表示される画像が悪化する。これは液晶に固有の複屈折によって、視覚者が定位から離れてスクリーンの方へ移動すると直ちにコントラストのレベルが低下し、特定の視聴位置ではグレーレベルが反転するためである。
【０００５】
この現象は、一部の用途では許容できるものであるとはいえ、複数の視覚者が同時に見ることがあるコンピュータスクリーンまたは表示装置では確実に補償されなければならない。
【０００６】
ＬＣＤ（液晶ディスプレイ）タイプのスクリーンまたはディスプレイの視角特性は、通常、視角の関数として等コントラスト曲線を示すコノスコープを使用して評価される。該視角は以下２つの角度を特徴とする：
θ　＝　スクリーンの定位に対する視覚者の角度
φ　＝　横（水平方向の）軸に対するスクリーン平面内における視覚方向の投影角度
【０００７】
図１は、補償されていないＴＮセルのコノスコープを示す。このコノスコープには、例えば５０を超えるコントラストが小さい視覚範囲が示されている。
【０００８】
先行技術には、前述の問題点の改善を目的とした様々な方法および構造が開示されている。
【０００９】
１）マルチドメイン
第一の方法は、各基本セル（画素）内に液晶の固着が異なる複数のドメインを作成することにより、セルの構造を修正することである。このようにして得られた平均化効果により問題は大きく緩和されるが、スクリーン製造工程の複雑さが増大する。
【００１０】
２）新規電気光学的効果
第二の方法は、アラインメント、液晶の性質またはアドレス原理がＴＮとは異なる、別のタイプの液晶セルを使用することである。ＩＰＳ（Ｉｎ　Ｐｌａｎｅ　Ｓｗｉｔｃｈｉｎｇ）などそれらの一部は、ＴＮと同等の特性を持ち、大きな視角を有する商品として実現化された。しかしながら、これらのセルは、ＬＣＤスクリーンの製造において常に制御できるわけではない複合的な効果を基礎としている。
【００１１】
３）複屈折フィルム
第三の方法ではセルの構造を修正せず、液晶の効果を補償するために１つ以上の最適化された複屈折フィルムを付加することにより液晶の複屈折を補正する。この補償の考え方は、液晶セルの視角の問題は、光波の偏りをその入射角に応じて様々に変化させる、液晶に特有の複屈折に起因している、という事実に基づいている。対向する偏光子間の吸光は、出力された偏光が線形の場合のみ可能であるため、黒が得られるのはスクリーンに対する定位に近い角度においてのみである。「逆の」複屈折を有するフィルムを加えることにより、この複屈折を低減、または排除することが可能になる。
【００１２】
複屈折フィルム
複屈折の媒体は、その屈曲率楕円体、すなわち特定の偏光および特定の方向の光波の伝播のインデックスの表面特性を特徴とする：楕円体の内在性フレームの軸は媒体の内在性の軸を構成し、これら軸の長さは対応する軸に沿って偏光した光の伝播のインデックスに等しい。
【００１３】
楕円体の断面が円形であれば、媒体は「単軸性」である。図２ａおよび２ｂに示すように、単軸の媒体では、回転軸または光学軸に沿うインデックスを異常インデックスｎｅと呼び、他の２つの軸に沿うインデックスを正常インデックスｎｏと呼ぶ。異常インデックスｎｅが正常インデックスｎｏより大きい場合、媒体をポジティブ単軸媒体と呼び、楕円体は「葉巻」状で縦長である（図２ａ）。異常軸は遅軸である。反対に、異常インデックスｎｅが正常インデックスｎｏより小さい場合、媒体をネガティブ単軸媒体と呼び、楕円体は「皿」状で平型である（図２ｂ）。異常軸は速軸である。
【００１４】
これら２つのインデックスの違いは非常に小さく、例えば１％程度であるが、偏光に非常に大きな変化をもたらすに十分である。
【００１５】
楕円体が回転体ではない、つまり３つの異なるインデックスを有する３つの直交する内在性の軸を有する場合、媒体は二軸性である。
【００１６】
単軸性媒体の光学軸の傾きを角度（θ，φ）で表す：
・θは、スクリーンの平面の垂線に対する光学軸の角度である。
・φは、横軸に対するスクリーン平面内の光学軸の投影である。
【００１７】
単軸性フィルムの遅延Ｒｏは次のように定義できる：
Ｒｏ　＝　（ｎｅ　−　ｎｏ）ｄ，　ここで、ｄはフィルムの厚みを表す。
Ｒｏ　＞　０　のとき、フィルムをポジティブ単軸フィルムと呼ぶ。
Ｒｏ　＜　０　のとき、フィルムをネガティブ単軸フィルムと呼ぶ。
【００１８】
液晶はポジティブ単軸媒体であり、光学軸は液晶分子のディレクタに一致する。
【００１９】
一般的な液晶セルの視角、および特にＴＮセルを向上させることができる、単軸または二軸型複屈折フィルムの組み合わせが多数存在する。
【００２０】
複屈折フィルムは通常偏光子とセルの基板との間に配設され、様々な幾何学的構成が可能である。
【００２１】
図３は、視角の観点から液晶セルを補償する複屈折フィルムの構成例を示す。
【００２２】
液晶セル１は、偏光子１０と例えば複屈折フィルムからなる補償板１１とにより形成される第一アセンブリと、補償板１２と検光子１３により形成される第二アセンブリとの間に位置している。参照番号１４は液晶セルの基板を示す。
【００２３】
複屈折フィルムを得るには様々な方法があり、その一部を例として後述するが、それは何ら限定的なものではない。
【００２４】
プラスチックフィルム（ＰＶＡ（ポリビニルアルコール）、ポリカーボネート、またはＣＴＡ（三酢酸セルロース））を単軸性または二軸性に引き伸ばすことにより、任意の「面内」複屈折（ネガティブ単軸型、ポジティブ単軸型、二軸型）を得ることができる。すなわち、屈曲率楕円体の軸がフィルムの面内にある、または定位に沿っている。しかし、現在では、この技術では傾斜した光学軸を得ることはできない。フィルム平面に対し傾斜する光学軸を持つ複屈折フィルムが必要な場合が多いため、それによる補償板の性能は限られている。
【００２５】
この技術により得られる遅延は−１００ｎｍ以上である。フィルムの光学軸のいくつかの方向について、この方法で小さい複屈折値を得ること、およびその再現性を例えば−２０から−６０ｎｍの範囲の値について達成することは困難である。
【００２６】
傾斜した軸を有するフィルム
ネマティック液晶セルのポジティブ型複屈折を補償するのに有効な周知の技術は、例えば、ネガティブ型複屈折フィルムの使用である。例えば、ＴＮセルを効果的に補償するために、光学軸が基板の平面に対して傾斜しているネガティブ型フィルムを使用する必要がある。
【００２７】
フジフィルム
傾斜ネガティブ単軸媒体、およびプラスチックフィルムの伸張により得られる「面内」ポジティブ単軸媒体からなる連続体をＴＮセルの両側に１つずつ連結することが知られている。そのような補償フィルムは、例えば、米国特許第５５８３６７９号、またはＮ．Ｍｏｒｉ他による「異なるＬＣＤモードへのネガティブ複屈折フィルムの利用（Ａｐｐｌｉｃａｔｉｏｎ ｏｆ ａ ｎｅｇａｔｉｖｅ ｂｉｒｅｆｒｉｎｇｅｎｃｅ ｆｉｌｍ ｔｏ ｖａｒｉｏｕｓ ＬＣＤ ｍｏｄｅｓ）」（１９９７年ＳＩＤ議事録、１１−８８頁）（文献１）に開示されている。
【００２８】
傾斜ネガティブ単軸媒体の連続体は、重合したディスコティック液晶分子を使用して得ることができる。この補償方法のためにフジが販売するフィルムが生まれており、該フィルムを本明細書では以降「フジフィルム」と称する。
【００２９】
したがって、フジ型の解決法は、重合したディスコティック液晶分子の広がりからなるネガティブ単軸媒体と、プラスチック（ＣＴＡ）フィルムにより得られる基板（前記文献１に記載のように、ディスプレイに使用される偏光子の基板）に垂直な光学軸のネガティブ単軸媒体との連続体を含む。
【００３０】
現在商品化されているこのヴァージョンでは、フジフィルムは積み重ねたＣＴＡ（三酢酸セルロース）と、重合したディスコティック分子の層からなる。これを図４に示す。
【００３１】
フジフィルムのＣＴＡ基板２０は、ネガティブ単軸タイプのプラスチックフィルムを引き伸ばしたものであり、その光学軸は層の平面に垂直である。フジフィルムを正しく使用するには、それ自体に適切に決定された遅延のあるＣＴＡ基板を有する偏光子と組み合わせることが必要で、偏光子のＣＴＡとフジフィルムのＣＴＡを互いに結合させる。ＣＴＡ遅延の値は、例えば約−４０ｎｍである。
【００３２】
良好な補償を得るためにフジが推奨する多層は、重合したディスコティック分子２１の層と、遅延−８０ｎｍの面に対して垂直な光学軸のネガティブ単軸フィルムとを必ず含む。
【００３３】
重合したディスコティック分子の層を図４に概略的に示している。
【００３４】
フジフィルムは、厚さｄが４．７μｍのＴＮ液晶フィルムを補償するために開発された補償フィルムである。液晶分子は偏光子から離れるにつれ次第に傾斜する。それらの光学軸は、表面に対する定位と当所は４度の角度αをなしており、最終的な傾斜角は６８度となる。各フィルムは液晶セルの半分を補償する。よってそのような液晶セルの補償では、セルの両側にフジフィルムを１つずつ使用することが必要になる。
【００３５】
補償の基本的な考え方は、液晶セルを構成するネマティック分子の逆複屈折をディスコティック分子が有し、各ディスコティック分子が平行な光学軸のネマティック分子を補償するということに基づいている。
【００３６】
図５は、フジが販売するフィルムにより補償した液晶セルの等コントラスト曲線を示す。フジ型のフィルムを液晶セルの一方の側に１つ配置している。
【００３７】
ホログラフィー
ネガティブ単軸媒体を得るための別の方法は、ホログラフィー格子の使用に基づいている。照射波長と比較してフリンジの間隔が十分に小さいとき、ホログラムは複屈折モードで動作し、光学軸がフリンジ平面に対する定位と一致するネガティブ型単軸媒体に相当する。このような補正方法は、例えばフランス国特許第２７５４６０９号および同第２７７８０００号、またはＣ．Ｊｏｕｂｅｒｔ他による「ホログラフィー体積格子によるＴＮ−ＬＣＤ視角の補償（ＴＮ−ＬＣＤ ｖｉｅｗｉｎｇ ａｎｇｌｅ ｃｏｍｐｅｎｓａｔｉｏｎ ｗｉｔｈ ｈｏｌｏｇｒａｐｈｉｃ ｖｏｌｕｍｅ ｇｒａｔｉｎｇｓ）」（Ｐｈｏｔｏｎｉｃ　Ｗｅｓｔ　１９９９年ＳＰＩＥ議事録、Ｎｏ．３６３５、１３７−１４２頁（１９９９年））に記載されている。
【００３８】
４）フィルムの改良
上述のフィルム、特に重合したディスコティック分子を使用するフジフィルムの特性は、所定の方向を有し、遅延が約２０−５０ｍｎと小さいフィルムを追加することによりさらに向上する。よって、上述のフジフィルムと、光学軸が例えば基板の面内にある遅延約−２５ｎｍのネガティブ型フィルムとを組み合わせることが可能である。光学軸の方向を変えることも可能である。そのような構造の例は、Ｔ．Ａ．ＳｅｒｇａｎおよびＪ．Ｒ．Ｋｅｌｌｙによる「平面内ネガティブおよび拡張ディスコティックフィルムを使用したＴＮディスプレイの光学特性の向上（Ｉｍｐｒｏｖｅｍｅｎｔ ｏｆ ｔｈｅ ｏｐｔｉｃａｌ ｃｈａｒａｃｔｅｒｉｓｔｉｃｓ ｏｆ ａ ｔｗｉｓｔｅｄ−Ｎｅｍａｔｉｃ Ｄｉｓｐｌａｙ ｕｓｉｎｇ ｎｅｇａｔｉｖｅ ｉｎ ｐｌａｎｅ ａｎｄ ｓｐｌａｙｅｄ ｄｉｓｃｏｔｉｃ ｆｉｌｍｓ）」（１９９８年ＳＩＤ議事録，６９４頁）に記載されている。この文献は、スクリーン平面内に光学軸を有する面に伸張されたフィルムを使用することを推奨している。
【００３９】
本発明の理念は、特に、体積ホログラムとフジ型の補償フィルムを組み合わせることにより、フィルムの補償能力を向上させることである。特に、補償能力向上の対象となるフィルムに応じて体積ホログラムの特徴を選択する。
【００４０】
本発明において考慮される光学軸のフィルムに対する傾斜角度はなんら限定されていない。
【００４１】
また、本発明は、ホログラフィーフィルムの使用に加えて、フジフィルムのＣＴＡの最適化も行い、これら２つの改良点（ホログラフィーフィルム＋ＣＴＡ最適化）を組み合わせることでフジフィルムの性能を大きく改善するものである。
【００４２】
本発明は、２つの偏光子の間に位置する液晶セル要素と、視角によって異なる該液晶の複屈折を補償するための少なくとも１つの光学的構造とを備えた表示装置に関する。その特徴は、前記光学的補償構造が、液晶に固有の複屈折による好ましくない影響を少なくとも部分的に補償するのに適した少なくとも１つの重合液晶型の傾斜した軸を有するフィルムと、該フィルムの補償能力を向上させるのに適した遅延の小さい体積ホログラムとを組み合わせてなることである。
【００４３】
傾斜した軸を有するフィルムは、ネマティック、または重合したディスコティック液晶型とすることができる。
【００４４】
ホログラムは、例えば、傾斜した軸を有するフィルムの平面内に光学軸を有するホログラフィーフィルムか、そうでない場合はフィルムの平面に対して傾斜した光学軸を有するホログラフィーフィルムである。
【００４５】
前記体積ホログラムの遅延値は、絶対値で、例えば−１５０ｎｍ未満、好適には−１０から−１００ｎｍである。
【００４６】
ホログラフィーアセンブリは、層が独自の方向を有する多層格子をそれぞれが備える少なくとも２つのホログラフィーフィルムからなってよい。
【００４７】
１実施形態によると、傾斜した軸を有するフィルムは、例えば、ネガティブ単軸複屈折を有するＣＴＡ型のプラスチックフィルムを伸張したものからなり、該フィルムの遅延値はホログラフィーフィルムおよび傾斜した軸を有するフィルムに合わせて調整されている。
【００４８】
液晶セルは、例えば、ＴＮ型である。
【００４９】
本発明による装置は、例えば、マイクロコンピュータースクリーンなどの表示装置における複屈折の影響を補償するために使用される。
【００５０】
本発明は、特に、複屈折の影響を補償するための構造に使用される既存の複屈折フィルムによる補償を向上させるという利点を有する。
【００５１】
本発明のさらなる利点および特徴について、添付図を参照する後述の詳細な説明で明らかにする。
【００５２】
慎重に決定したパラメータを有する体積ホログラムと、フジフィルムなどの傾いた光学軸または傾斜した軸を有するフィルムとを組み合わせることで、フィルムの補償能力が大きく改善されることが分かった。また、フジフィルムのＣＴＡを最適化することで、フジ／ホログラム補償構造について得られるコノスコープも改善される。
【００５３】
図６にそのような構造を簡略化して示す。図の下部に、装置の横および縦方向を示した。
【００５４】
液晶スクリーン２０は、例えば、ＴＮ液晶からなっている。この液晶は２つのガラス板２１および２２（図示しない）にはさまれており、液晶に接触するガラス板の表面は、これら表面と接触する分子の方向と、該表面を含む平面に対するそれらの傾きを決定するために研磨処理されている。
【００５５】
液晶は、第一偏光子２３、体積ホログラム２４、およびフジにより販売されている第一のフィルム２５（例えば傾いた光学軸を有するフィルム）と、例えば第一のフィルム２５と実質的に同一な第二のフィルム２６、体積ホログラム２７、および第二偏光子２８の間に位置している。２つの偏光子の方向は、例えば、互いに数度の範囲で約９０度の角度をなしている。
【００５６】
本発明は、（液晶スクリーンの面に対して）傾斜した光学軸、またはフィルム面内で傾いている光学軸を有する複屈折媒体を１つ以上備える全ての補償フィルムに利用することができる。そのようなフィルムとは、例えば、現在は市販されていない重合したネマティック液晶型の傾いた光学軸を有するフィルムである。
【００５７】
ホログラフィーフィルムまたはネガティブ単軸フィルム
体積ホログラムとは、インデックス格子が体積で記録されるホログラフィーフィルムである。そのようなフィルムでは、光学軸はインデックス層の面に対する定位に一致する。
【００５８】
このホログラフィーフィルムの特徴は、特に、傾いた光学軸を有するフィルムの補償能力を向上するために決定される。
【００５９】
ホログラフィーフィルムはネガティブ単軸媒体に相当し、複屈折モードで動作する。それは、格子を形成する層の間隔より波長が相当に長い場合に、人工的複屈折特性を有する。正弦を変調したインデックス層を、それを通過する波長より小さい間隔で配置する。これらの層は、液晶に使用される光を回折しないホログラムを構成する。
【００６０】
紫外線と感光材料の干渉によりフリンジが生成される場合がある。使用する記録手順は、例えば同一出願人による仏国特許第２７７８０００号に記載されているものである。
【００６１】
フィルムの遅延
屈折率Δｎの変調の関数として、例えば以下の単純な数式に従って、ホログラフィー格子の等価遅延Ｒｈが得られる：
【数１】
2004506936.tif 000003
ここで、ｄはフィルムの厚さを、ｎｏは平均インデックスを、およびΔｎは屈折率の変調を表す。
【００６２】
例えば、ＤｕＰｏｎｔが製造する光重合のホログラフィー格子を生成するΔｎに典型的な値は、０．０４５に等しい。厚さ２５μｍおよび平均インデックスｎｏ＞１．５である典型的なフィルムの場合、その遅延値Ｒｈは−４０ｎｍとなる。遅延は、例えばＣ．Ｊｏｕｂｅｒｔ他による文献「ホログラフィー格子によるＴＮ−ＬＣＤ視角補償（ＴＮ−ＬＣＤ ｖｉｅｗｉｎｇ ａｎｇｌｅ ｃｏｍｐｅｎｓａｔｉｏｎ ｗｉｔｈ ｈｏｌｏｇｒａｐｈｉｃ ｇｒａｔｉｎｇｓ）」（Ｐｈｏｔｏｎｉｃ　Ｗｅｓｔ　１９９９年ＳＰＩＥ議事録、Ｎｏ．３６３５，１３７−１４２（１９９９年））に記載の方法を使用して計算される。
【００６３】
各フィルムの遅延は−１５０ｎｍ未満、好適には−１０ｎｍから−１００ｎｍの範囲でよい。
【００６４】
角度
ホログラフィーフィルムの光学軸の方向は、フジフィルムの面内にあるか、またはこのフィルムに対して傾いている。インデックス層の方向の角度は、フィルムの特徴に応じて決定される。
【００６５】
ホログラフィーフィルムの光学軸の傾斜角度は、このフィルムの面に対する定位に対して０度から９０度の間の角度θとすることができる。
【００６６】
ホログラフィーフィルムの光学軸のフィルム面上への投影は、例えば０度から３６０度の間の角度φをなす。
【００６７】
各ホログラフィーフィルムに関連する角度θおよびφは、効果的な補償板を製造するために、シミュレーションにより最適化される。
【００６８】
最適化に望まれるパラメータは特に：
・角度θが約０度である（光学軸がスクリーンの面に対して垂直）場合の「面内」のネガティブ単軸フィルムの遅延Ｒｐ
・ホログラフィーにより生成される傾斜ネガティブ単軸フィルムの遅延、スクリーンへの定位に対するその光学軸の角度θＦ、および光学軸のスクリーン面内への投影の角度φＦにそれぞれ対応する３つの値（ＲＦ，θＦ，φＦ）である。
【００６９】
補償板が複数のホログラフィーフィルムを備える場合、全体への応用を考慮するときそれぞれの前記３つの値（ＲＦ，θＦ，φＦ）を最適化する必要がある。
【００７０】
補償板は、例えば、液晶セル、ＣＴＡを含むフジフィルム、およびホログラフィーフィルムからなる多層の光伝送をモデル化できる、Ａｕｔｒｏｎｉｃ−Ｍｅｌｃｈｅｒｓ　ＧｍｂＨ販売のＤＩＮＯＳというプログラムを使用して最適化される。
【００７１】
最適化は、例えば、所定の構成について得られる対比コノスコープを表示し、視角を向上させる補償フィルムの変化を探すことにより行われる。最終的な解決法−より良い補償構造−は、近似計算および反複を連続して行うことにより得られる。
【００７２】
ホログラフィーアセンブリは、各層が固有の方向を有する多層格子をそれぞれ有する１つ以上のフィルムを含むことができる。
【００７３】
フジフィルムの面内にあるネガティブ単軸フィルムのＣＴＡを修正することも可能である。修正は、例えば、フジフィルムに適応される補償に応じて、市販されているフジフィルムについて既存のＣＴＡを引き伸ばして遅延の値を変化させることで行う。この変化を上述の最適化の工程に導入する。
【００７４】
図７は図６の変更例を示す。図では、ホログラフ２４，２７は液晶セル２０の各表面に結合されており、フジフィルム２５，２６は偏光子２３，２８とホログラム２４，２７の間に位置している。
【００７５】
図８は図６の分解図であり、非交差フジフィルムと、遅延値が−２５ｎｍであるネガティブ単軸フィルムとを組み合わせてなるものである。
【００７６】
液晶スクリーン３０は、例えば、ＴＮ液晶からなる。この液晶は２つのガラス板３１，３２の間に挟まれており、該ガラス板の液晶と接触する表面は、これら表面と接触する分子の方向と、該表面を含む平面に対するそれらの傾きを決定するために研磨処理されている。表面３１の研磨方向は横方向に対して−４５度である。表面３２の研磨方向は横方向に対して＋４５度である。構成に応じて、表面３１の偏光子３３は、該表面上の研磨方向に対して９０度に方向付けされる。したがって、偏光子および検光子は互いに数度の範囲で約９０度をなすように方向付けされる。
【００７７】
表面３２の検光子３４は該表面の研磨方向と９０度をなすように方向付けされる。
【００７８】
表面３１に結合される補償構造は、例えば、遅延値が約−２５ｎｍ、θの値が９０度およびφの値が１３５度である第一ホログラフィーフィルム３５（ネガティブ単軸フィルム）と、φの値が３１５度である上述のフジフィルム３６と、遅延値が−８０ｎｍおよびθの値が０度であるそのＣＴＡ３７とを備える。
【００７９】
表面３２に結合される補償構造は、例えば、遅延値が約−２５ｎｍ、θの値が９０度およびφの値が４５度である第二ホログラフィーフィルム３８と、φの値が２２５度である上述のフジフィルム３９と、遅延値が−８０ｎｍおよびθの値が０度であるそのＣＴＡ４０とを備える。
【００８０】
図９は、図８に記載の補償されたセルの等コントラスト曲線を示す。市販されているフジフィルムを表す図４と比較して、コノスコープに改善が見られる。
【００８１】
図１０は本発明による構造例の分解図であり、遅延−２５ｎｍを有する傾斜ネガティブ単軸フィルムを使用して市販のフジフィルムの補償能力を向上させている。
【００８２】
図８とはフィルム３８および３５の特徴だけが異なる。
【００８３】
表面３１に結合される補償構造は、例えば、遅延値が約−２５ｎｍ、θの値が１２０度およびφの値が１３５度である第一ホログラフィーフィルム３５と、φの値が３１５度である上述のフジフィルム３６と、遅延値が−８０ｎｍおよびθの値が０度であるそのＣＴＡ３７とを備える。
【００８４】
表面３２に結合される補償構造は、例えば、遅延値が約−２５ｎｍ、θの値が６０度およびφの値が４５度である第二ホログラフィーフィルム３８と、φの値が２２５度である上述のフジフィルム３９と、遅延値が−８０ｎｍおよびθの値が０度であるそのＣＴＡ４０とを備える。
【００８５】
図１１は、図１０に記載の補償されたセルの等コントラスト曲線を示す。図４および８で得られるコノスコープを上回る改善が見られることに注意されたい。
【００８６】
図１２は、例えば遅延値を修正するなどしてフジフィルムのＣＴＡを向上させた変形例を示す。
【００８７】
図１２は、図１０に記載の構造とはＣＴＡが異なる、補償された液晶セルの分解図である。
【００８８】
この例のフジフィルムのＣＴＡ（３７および４０）の遅延値は−１１０ｎｍである。
【００８９】
図１３に示すこのような構造に得られる等コントラスト曲線には、先に得られたコノスコープを上回る改善が見られる。
【００９０】
本発明の範囲から逸脱せずに、ホログラフィーフィルムおよび向上させるフィルムに様々な構成を考えることができる。それらの一部を例示的に（限定的な意味を持たない）以下の表に示す。
【表１】
2004506936.tif 000004
【００９１】
表中、補償の構造の一部である１および２に複数の構成例が示されている。
【００９２】
液晶セルには、各側面に１型または２型の補償構造を配置することができる。
【００９３】
また、片側が１型構造に面し、他方の側が２型構造に面するように配設してもよい。
【００９４】
本発明の範囲から逸脱することなく、液晶セルをＴＮ型とすることができる。
【図面の簡単な説明】
【図１】補償されていないＴＮセルのコノスコープを示す
【図２】図２ａはポジティブ型単軸媒体の楕円体を示す。図２ｂはネガティブ型単軸媒体の楕円体を示す。
【図３】補償されたセルの構造を概略的に示す。
【図４】フジ型フィルムの構造を概略的に示す。
【図５】図４のフィルムを使用して補償した液晶セルに得られるコノスコープである。
【図６】本発明による構造を使用して補償したセルの第一模式図である。
【図７】本発明による構造を使用して補償したセルの第二模式図である。
【図８】図６に示した構造の分解図であり、ホログラフィー平面にフジフィルムとネガティブ単軸媒体を備える。
【図９】図８の構造に得られるコノスコープである。
【図１０】フジフィルムとホログラフィー傾斜ネガティブ単軸媒体を備える構造の分解図である。
【図１１】図１０の構造に得られるコノスコープである。
【図１２】本発明による構造の分解図であり、ＣＴＡを向上させたフジフィルムと傾斜ホノグラフィーネガティブ単軸フィルムとを備える。
【図１３】図１２の構造に得られるコノスコープである。
【図１】
2004506936.tif 000005
【図２】
2004506936.tif 000006
【図３】
2004506936.tif 000007
【図４】
2004506936.tif 000008
【図５】
2004506936.tif 000009
【図６】
2004506936.tif 000010
【図７】
2004506936.tif 000011
【図８】
2004506936.tif 000012
【図９】
2004506936.tif 000013
【図１０】
2004506936.tif 000014
【図１１】
2004506936.tif 000015
【図１２】
2004506936.tif 000016
【図１３】
2004506936.tif 000017
【国際公開パンフレット】
2004506936.tif 000018
2004506936.tif 000019
2004506936.tif 000020
2004506936.tif 000021
2004506936.tif 000022
2004506936.tif 000023
2004506936.tif 000024
2004506936.tif 000025
2004506936.tif 000026
2004506936.tif 000027
2004506936.tif 000028
2004506936.tif 000029
2004506936.tif 000030
2004506936.tif 000031
2004506936.tif 000032
2004506936.tif 000033
2004506936.tif 000034
2004506936.tif 000035
2004506936.tif 000036
2004506936.tif 000037
2004506936.tif 000038
2004506936.tif 000039
2004506936.tif 000040
2004506936.tif 000041
2004506936.tif 000042
2004506936.tif 000043
2004506936.tif 000044
2004506936.tif 000045
【国際公開パンフレット（コレクトバージョン）】
2004506936.tif 000046
2004506936.tif 000047
2004506936.tif 000048
2004506936.tif 000049
2004506936.tif 000050
2004506936.tif 000051
2004506936.tif 000052
2004506936.tif 000053
2004506936.tif 000054
2004506936.tif 000055
2004506936.tif 000056
2004506936.tif 000057
2004506936.tif 000058
2004506936.tif 000059
2004506936.tif 000060
2004506936.tif 000061
2004506936.tif 000062
2004506936.tif 000063
2004506936.tif 000064
2004506936.tif 000065
2004506936.tif 000066
2004506936.tif 000067
2004506936.tif 000068
2004506936.tif 000069
2004506936.tif 000070
2004506936.tif 000071
2004506936.tif 000072
2004506936.tif 000073
2004506936.tif 000074